(57)【要約】    【課題】  給気運転を行うと屋外の空気が室内に導入されることとなるが、屋外の空気が様々な物質によって汚染されている場合、そこの生活者にとって不快なものとなる。この問題を解決するため、フィルターを介して外気を室内に導入することが考えられる。空気清浄用フィルターを給排気ユニットに設けると、給排気ユニットの幅が大きくなり、その分熱交換器を小さくしなければならず本来の空気調和機としての基本的目的である温湿度調和能力が低下してしまう。熱交換器の大きさを変えない場合は、室内ユニット形状が大きくなってしまうという問題がある。    【解決手段】  給気運転時に室外空気が通過する給気用フィルター２１を設け、サブファン１９の回転軸と主ファン９の回転軸が略平行となるように配置し、サブファン１９の空気吸い込み面と給気用フィルター２１の空気通過面との角度が直角にならないように配置した。    【選択図】  図６
2005164162.tif 000002
【特許請求の範囲】
【請求項１】
横長の室内ユニットに形成された空気吸込口および空気吹出口と、それら空気吸込口と空気吹出口との間に設置され空気風路を形成する主ファンと、その主ファンを運転し前記空気吸込口から吸い込まれた室内空気を熱交換する熱交換器と、その熱交換器の空気流上流側に設置されたフィルターと、前記室内ユニット内に設けられ、室内に開口した室内開口部と室外に開口した室外開口部とを接続し内部に空気風路を形成するケーシングと、このケーシング内の空気風路上に設けられ、回転することで室外空気を室内に取り込む給気運転もしくは室内空気を室外へ排気する排気運転を行うサブファン及びサブファンモーターとを有する給排気ユニットとを備えた空気調和機において、少なくとも前記給気運転時に室外空気が通過する給気用フィルターを設け、前記サブファンの回転軸と前記主ファンの回転軸が略平行となるように配置し、前記サブファンの空気吸い込み面と前記給気用フィルターの空気通過面との角度が直角にならないように配置した空気調和機。
【請求項２】
横長の室内ユニットに形成された空気吸込口および空気吹出口と、それら空気吸込口と空気吹出口との間に設置され空気風路を形成する主ファンと、その主ファンを運転し前記空気吸込口から吸い込まれた室内空気を熱交換する熱交換器と、その熱交換器の空気流上流側に設置されたフィルターと、前記室内ユニット内に設けられ、室内に開口した室内開口部と室外に開口した室外開口部とを接続し内部に空気風路を形成するケーシングと、このケーシング内の空気風路上に設けられ、回転することで室外空気を室内に取り込む給気運転もしくは室内空気を室外へ排気する排気運転を行うサブファン及びサブファンモーターとを有する給排気ユニットとを備えた空気調和機において、少なくとも前記給気運転時に室外空気が通過する給気用フィルターを設け、前記給気運転時にこの給気用フィルターを介して室外空気を室内に取り込み、前記排気運転時に前記給気用フィルターを介さずに室内空気を室外に排気するようにした空気調和機。
【請求項３】
横長の室内ユニットに形成された空気吸込口および空気吹出口と、それら空気吸込口と空気吹出口との間に設置され空気風路を形成する主ファンと、その主ファンを運転し前記空気吸込口から吸い込まれた室内空気を熱交換する熱交換器と、その熱交換器の空気流上流側に設置されたフィルターと、前記室内ユニット内に設けられ、室内に開口した室内開口部と室外に開口した室外開口部とを接続し内部に空気風路を形成するケーシングと、このケーシング内の空気風路上に設けられ、回転することで室外空気を室内に取り込む給気運転もしくは室内空気を室外へ排気する排気運転を行うサブファン及びサブファンモーターとを有する給排気ユニットとを備えた空気調和機において、前記給気運転時に室外空気が通過する給気用フィルターと、前記給気運転時にこの給気用フィルターの上流側となる風路にプレフィルターとを設け、前記給気運転時にこのプレフィルター及び前記給気用フィルターを介して室外空気を室内に取り込み、前記排気運転時に前記給気用フィルターを介さずに前記プレフィルターを介して室内空気を室外に排気するようにした空気調和機。
【請求項４】
横長の室内ユニットに形成された空気吸込口および空気吹出口と、それら空気吸込口と空気吹出口との間に設置され空気風路を形成する主ファンと、その主ファンを運転し前記空気吸込口から吸い込まれた室内空気を熱交換する熱交換器と、その熱交換器の空気流上流側に設置された熱交換器用プレフィルターと、前記室内ユニット内に設けられ、室内に開口した室内開口部と室外に開口した室外開口部とを接続し内部に空気風路を形成するケーシングと、このケーシング内の空気風路上に設けられ、回転することで室外空気を室内に取り込む給気運転もしくは室内空気を室外へ排気する排気運転を行うサブファン及びサブファンモーターとを有する給排気ユニットとを備えた空気調和機において、前記排気運転時における室内空気吸込口をフィルターを前記熱交換気用プレフィルターの一部に設けた空気調和機。
【請求項５】
横長の室内ユニットに形成された空気吸込口および空気吹出口と、それら空気吸込口と空気吹出口との間に設置され空気風路を形成する主ファンと、その主ファンを運転し前記空気吸込口から吸い込まれた室内空気を熱交換する熱交換器と、その熱交換器の空気流上流側に設置された熱交換器用プレフィルターと、前記室内ユニット内に設けられ、室内に開口した室内開口部と室外に開口した室外開口部とを接続し内部に空気風路を形成するケーシングと、このケーシング内の空気風路上に設けられ、回転することで室外空気を室内に取り込む給気運転もしくは室内空気を室外へ排気する排気運転を行うサブファン及びサブファンモーターとを有する給排気ユニットとを備えた空気調和機において、前記給気運転時に室外空気が通過する給気用フィルターと、この給気用フィルターを収納する収納部とを設け、この給気用フィルターは前記室内ユニットの正面から着脱することができ、前記室外開口部が、前記室内ユニットの正面から見たとき、前記収納部の上下方向投影面内に一部又は全部が掛かるように形成された空気調和機。
【請求項６】
横長の室内ユニットの下方に形成された空気吹出口と、この空気吹出し口より上方に形成された空気吸込口と、これら空気吸込口と空気吹出口との間に設置された主ファンと、その主ファンを運転し前記空気吸込口から吸い込まれた室内空気を熱交換する熱交換器と、その熱交換器の空気流上流側に設置された熱交換器用プレフィルターと、前記室内ユニット内に設けられ、室内に開口した室内開口部と室外に開口した室外開口部とを接続し内部に空気風路を形成するケーシングと、このケーシング内の空気風路上に設けられ、回転することで室外空気を室内に取り込む給気運転もしくは室内空気を室外へ排気する排気運転を行うサブファン及びサブファンモーターとを有する給排気ユニットとを備えた空気調和機において、前記室内開口部を２つ設け、一方を空気吸い込み用として、他方を空気吹出し用とした空気調和機。
【請求項７】
請求項６において、前記室内ユニットの下方に形成された空気吹出口と前記空気吸込口との間に形成されたサブ空気吹出口と、前記空気吹出し用とした室内開口部とを接続するダクトとを備えた空気調和機。
【請求項８】
横長の室内ユニットの下方に形成された空気吹出口と、この空気吹出し口より上方に形成された空気吸込口と、これら空気吸込口と空気吹出口との間に設置された主ファンと、その主ファンを運転し前記空気吸込口から吸い込まれた室内空気を熱交換する熱交換器と、その熱交換器の空気流上流側に設置された熱交換器用プレフィルターと、前記室内ユニット内に設けられ、室内に開口した室内開口部と室外に開口した室外開口部とを接続し内部に空気風路を形成するケーシングと、このケーシング内の空気風路上に設けられ、回転することで室外空気を室内に取り込む給気運転もしくは室内空気を室外へ排気する排気運転を行うサブファン及びサブファンモーターとを有する給排気ユニットとを備えた空気調和機において、前記給気運転時に導入された外気が前記サブファンモーとに到達する前に通過するプレフィルターと、前記室外開口部に接続され、その先端が室外に設置される室外ダクトと、この室外ダクトの先端の開口部に設けられ、前記プレフィルターよりも目の粗い第三のフィルターとを備えた空気調和機。
【請求項９】
請求項８において、前記室外ダクトの先端部に設けられた前記第三のフィルターの周囲を覆うカバーを設け、このカバーの先端口の形状を不揃いな形状とした空気調和機。
【請求項１０】
横長の室内ユニットの下方に形成された空気吹出口と、この空気吹出し口より上方に形成された空気吸込口と、これら空気吸込口と空気吹出口との間に設置された主ファンと、その主ファンを運転し前記空気吸込口から吸い込まれた室内空気を熱交換する熱交換器と、その熱交換器の空気流上流側に設置された熱交換器用プレフィルターと、前記室内ユニット内に設けられ、室内に開口した室内開口部と室外に開口した室外開口部とを接続し内部に空気風路を形成するケーシングと、このケーシング内の空気風路上に設けられ、回転することで室外空気を室内に取り込む給気運転もしくは室内空気を室外へ排気する排気運転を行うサブファン及びサブファンモーターとを有する給排気ユニットとを備えた空気調和機において、前記サブファン停止時に前記室内開口部と前記室外開口部との間を遮断する機能を備えた空気調和機。
【発明の詳細な説明】
【技術分野】
【０００１】
本発明は、換気運転が可能な空気調和機に関する。
【背景技術】
【０００２】
近年、家屋の住区間の密閉度が増し建材に含まれている有害な物質による人体への影響が指摘されている。また、密閉度が高いために住空間における二酸化炭素濃度が上昇するという問題もあった。これらの問題を室内の空気を調和する空気調和機として解決することが課題となっている。
【０００３】
この種の空気調和機としては、特開２０００−２７４７２７号公報（特許文献１）に記載されたものがある。この特許文献１には、一つの換気用風路の中に正回転、逆回転の切り換え可能なファンを組み込んで、ファンの回転方向を切り換えることにより、室内空気を室外に排気する排気機能と、室外空気を室内に取り込む給気機能とを有するユニットを備えたセパレート形空気調和機が開示されている。
【０００４】
【特許文献１】特開２０００−２７４７２７号公報
【発明の開示】
【発明が解決しようとする課題】
【０００５】
上記特許文献１に記載された給排気ユニットは、サブファン（主ファンは空気調和機室内機の熱交換器に通風させる貫流ファン、これに対して給排気用のファンをサブファンと呼ぶ）の回転方向を正回転から逆回転にして送風方向を切り換えることで排気運転と給気運転を行っている。
【０００６】
給気運転を行うと屋外の空気が室内に導入されることとなるが、屋外の空気が様々な物質によって汚染されている場合、そこの生活者にとって不快なものとなる。この問題を解決するため、フィルターを介して外気を室内に導入することが考えられる。上記特許文献１の空気調和機は、サブファンの正回転時も逆回転時も、ダクト内に設けた空気清浄用のフィルターに空気が通風するようにして解決を図っている。
【０００７】
しかし、この特許文献１のように、空気清浄用フィルターの通風面をサブファンの駆動軸と平行に配置し、この空気清浄フィルターにそれなりの性能を持たせようとすると、空気清浄フィルターの面積を大きくしなければならない。このようにすると、給排気ユニットの幅が大きくなり、その分熱交換器を小さくしなければならず本来の空気調和機としての基本的目的である温湿度調和能力が低下してしまう。熱交換器の大きさを変えない場合は、室内ユニット形状が大きくなってしまうという問題がある。
【０００８】
また、室内の空気を室外へ排気する排気運転の場合も、室外へ排気する空気を空気清浄フィルターに通すため、排気時の通風抵抗が増し、排気する空気の量が減ってしまうという問題がある。
【０００９】
また、特許文献１の空気調和機では、サブファンユニットに配置したフィルターおよびダクト内のメンテナンス性に関しては配慮されていなかった。
【００１０】
また、特許文献１の空気調和機では、サブファン運転停止時について配慮されていなかった。
【００１１】
また、特許文献１の空気調和機では、サブファンユニットは、給気運転、排気運転のモードがあるのみで、その他の運転については配慮されていなかった。
【００１２】
また、特許文献１の空気調和機では、室外に通じる給排気ダクト内に虫などが侵入してくることについては配慮されていない。
【００１３】
本発明の第１の目的は、給気機能、排気機能を有するサブファンユニットを備えた空気調和機において、空気清浄フィルターを備えても薄型なサブファンユニットを備えた空気調和機を提供することにある。
【００１４】
本発明の第２の目的は、給気機能、排気機能を有するサブファンユニットを備えた空気調和機において、排気運転時の通風抵抗を低減した空気調和機を提供することにある。
【００１５】
本発明の第３の目的は、給気機能、排気機能を有するサブファンユニットを備えた空気調和機において、フィルターのメンテナンス性を向上させた空気調和機を提供することにある。
【００１６】
本発明の第４の目的は、サブファンユニットの清掃性を向上した空気調和機を提供することにある。
【００１７】
本発明の第５の目的は、給気機能、排気機能を有するサブファンユニットを備えた空気調和機において、他の運転に付いても配慮した空気調和機を提供することにある。
【００１８】
本発明の第６の目的は、給気機能、排気機能を有するサブファンユニットを備えた空気調和機において、室外に通じる給排気ダクトの異物進入等を配慮した空気調和機を提供することにある。
【００１９】
本発明の第７の目的は、給気機能、排気機能を有するサブファンユニットを備えた空気調和機において、サブファン停止時を配慮した空気調和機を提供することにある。
【課題を解決するための手段】
【００２０】
上記第１の目的は、横長の室内ユニットに形成された空気吸込口および空気吹出口と、それら空気吸込口と空気吹出口との間に設置され空気風路を形成する主ファンと、その主ファンを運転し前記空気吸込口から吸い込まれた室内空気を熱交換する熱交換器と、その熱交換器の空気流上流側に設置されたフィルターと、前記室内ユニット内に設けられ、室内に開口した室内開口部と室外に開口した室外開口部とを接続し内部に空気風路を形成するケーシングと、このケーシング内の空気風路上に設けられ、回転することで室外空気を室内に取り込む給気運転もしくは室内空気を室外へ排気する排気運転を行うサブファン及びサブファンモーターとを有する給排気ユニットとを備えた空気調和機において、少なくとも前記給気運転時に室外空気が通過する給気用フィルターを設け、前記サブファンの回転軸と前記主ファンの回転軸が略平行となるように配置し、前記サブファンの空気吸い込み面と前記給気用フィルターの空気通過面との角度が直角にならないように配置することにより達成される。
【００２１】
上記第２の目的は、横長の室内ユニットに形成された空気吸込口および空気吹出口と、それら空気吸込口と空気吹出口との間に設置され空気風路を形成する主ファンと、その主ファンを運転し前記空気吸込口から吸い込まれた室内空気を熱交換する熱交換器と、その熱交換器の空気流上流側に設置されたフィルターと、前記室内ユニット内に設けられ、室内に開口した室内開口部と室外に開口した室外開口部とを接続し内部に空気風路を形成するケーシングと、このケーシング内の空気風路上に設けられ、回転することで室外空気を室内に取り込む給気運転もしくは室内空気を室外へ排気する排気運転を行うサブファン及びサブファンモーターとを有する給排気ユニットとを備えた空気調和機において、少なくとも前記給気運転時に室外空気が通過する給気用フィルターを設け、前記給気運転時にこの給気用フィルターを介して室外空気を室内に取り込み、前記排気運転時に前記給気用フィルターを介さずに室内空気を室外に排気するようにすることにより達成される。
【００２２】
上記第３の目的は、横長の室内ユニットに形成された空気吸込口および空気吹出口と、それら空気吸込口と空気吹出口との間に設置され空気風路を形成する主ファンと、その主ファンを運転し前記空気吸込口から吸い込まれた室内空気を熱交換する熱交換器と、その熱交換器の空気流上流側に設置されたフィルターと、前記室内ユニット内に設けられ、室内に開口した室内開口部と室外に開口した室外開口部とを接続し内部に空気風路を形成するケーシングと、このケーシング内の空気風路上に設けられ、回転することで室外空気を室内に取り込む給気運転もしくは室内空気を室外へ排気する排気運転を行うサブファン及びサブファンモーターとを有する給排気ユニットとを備えた空気調和機において、前記給気運転時に室外空気が通過する給気用フィルターと、前記給気運転時にこの給気用フィルターの上流側となる風路にプレフィルターとを設け、前記給気運転時にこのプレフィルター及び前記給気用フィルターを介して室外空気を室内に取り込み、前記排気運転時に前記給気用フィルターを介さずに前記プレフィルターを介して室内空気を室外に排気するようにすることにより達成される。
【００２３】
上記第３の目的は、横長の室内ユニットに形成された空気吸込口および空気吹出口と、それら空気吸込口と空気吹出口との間に設置され空気風路を形成する主ファンと、その主ファンを運転し前記空気吸込口から吸い込まれた室内空気を熱交換する熱交換器と、その熱交換器の空気流上流側に設置された熱交換器用プレフィルターと、前記室内ユニット内に設けられ、室内に開口した室内開口部と室外に開口した室外開口部とを接続し内部に空気風路を形成するケーシングと、このケーシング内の空気風路上に設けられ、回転することで室外空気を室内に取り込む給気運転もしくは室内空気を室外へ排気する排気運転を行うサブファン及びサブファンモーターとを有する給排気ユニットとを備えた空気調和機において、前記排気運転時における室内空気吸込口をフィルターを前記熱交換気用プレフィルターの一部に設けることにより達成される。
【００２４】
上記第４の目的は、横長の室内ユニットに形成された空気吸込口および空気吹出口と、それら空気吸込口と空気吹出口との間に設置され空気風路を形成する主ファンと、その主ファンを運転し前記空気吸込口から吸い込まれた室内空気を熱交換する熱交換器と、その熱交換器の空気流上流側に設置された熱交換器用プレフィルターと、前記室内ユニット内に設けられ、室内に開口した室内開口部と室外に開口した室外開口部とを接続し内部に空気風路を形成するケーシングと、このケーシング内の空気風路上に設けられ、回転することで室外空気を室内に取り込む給気運転もしくは室内空気を室外へ排気する排気運転を行うサブファン及びサブファンモーターとを有する給排気ユニットとを備えた空気調和機において、前記給気運転時に室外空気が通過する給気用フィルターと、この給気用フィルターを収納する収納部とを設け、この給気用フィルターは前記室内ユニットの正面から着脱することができ、前記室外開口部が、前記室内ユニットの正面から見たとき、前記収納部の上下方向投影面内に一部又は全部が掛かるように形成されることにより達成される。
【００２５】
上記第５の目的は、横長の室内ユニットの下方に形成された空気吹出口と、この空気吹出し口より上方に形成された空気吸込口と、これら空気吸込口と空気吹出口との間に設置された主ファンと、その主ファンを運転し前記空気吸込口から吸い込まれた室内空気を熱交換する熱交換器と、その熱交換器の空気流上流側に設置された熱交換器用プレフィルターと、前記室内ユニット内に設けられ、室内に開口した室内開口部と室外に開口した室外開口部とを接続し内部に空気風路を形成するケーシングと、このケーシング内の空気風路上に設けられ、回転することで室外空気を室内に取り込む給気運転もしくは室内空気を室外へ排気する排気運転を行うサブファン及びサブファンモーターとを有する給排気ユニットとを備えた空気調和機において、前記室内開口部を２つ設け、一方を空気吸い込み用として、他方を空気吹出し用とすることにより達成される。
【００２６】
特に、上記第５の目的は、請求項６において、前記室内ユニットの下方に形成された空気吹出口と前記空気吸込口との間に形成されたサブ空気吹出口と、前記空気吹出し用とした室内開口部とを接続するダクトとを備えることにより達成される。
【００２７】
上記第６の目的は、横長の室内ユニットの下方に形成された空気吹出口と、この空気吹出し口より上方に形成された空気吸込口と、これら空気吸込口と空気吹出口との間に設置された主ファンと、その主ファンを運転し前記空気吸込口から吸い込まれた室内空気を熱交換する熱交換器と、その熱交換器の空気流上流側に設置された熱交換器用プレフィルターと、前記室内ユニット内に設けられ、室内に開口した室内開口部と室外に開口した室外開口部とを接続し内部に空気風路を形成するケーシングと、このケーシング内の空気風路上に設けられ、回転することで室外空気を室内に取り込む給気運転もしくは室内空気を室外へ排気する排気運転を行うサブファン及びサブファンモーターとを有する給排気ユニットとを備えた空気調和機において、前記給気運転時に導入された外気が前記サブファンモーとに到達する前に通過するプレフィルターと、前記室外開口部に接続され、その先端が室外に設置される室外ダクトと、この室外ダクトの先端の開口部に設けられ、前記プレフィルターよりも目の粗い第三のフィルターとを備えることにより達成される。
【００２８】
特に上記第６の目的は、前記室外ダクトの先端部に設けられた前記第三のフィルターの周囲を覆うカバーを設け、このカバーの先端口の形状を不揃いな形状とすることにより達成される。
【００２９】
上記第７の目的は、横長の室内ユニットの下方に形成された空気吹出口と、この空気吹出し口より上方に形成された空気吸込口と、これら空気吸込口と空気吹出口との間に設置された主ファンと、その主ファンを運転し前記空気吸込口から吸い込まれた室内空気を熱交換する熱交換器と、その熱交換器の空気流上流側に設置された熱交換器用プレフィルターと、前記室内ユニット内に設けられ、室内に開口した室内開口部と室外に開口した室外開口部とを接続し内部に空気風路を形成するケーシングと、このケーシング内の空気風路上に設けられ、回転することで室外空気を室内に取り込む給気運転もしくは室内空気を室外へ排気する排気運転を行うサブファン及びサブファンモーターとを有する給排気ユニットとを備えた空気調和機において、前記サブファン停止時に前記室内開口部と前記室外開口部との間を遮断する機能を備えることにより達成される。
【発明の効果】
【００３０】
以上本発明によれば、給気機能、排気機能を有するサブファンユニットを備えた空気調和機において、空気清浄フィルターを備えても薄型なサブファンユニットを備えた空気調和機を提供することができる。
【００３１】
本発明によれば、給気機能、排気機能を有するサブファンユニットを備えた空気調和機において、排気運転時の通風抵抗を低減した空気調和機を提供することができる。
【００３２】
本発明によれば、給気機能、排気機能を有するサブファンユニットを備えた空気調和機において、フィルターのメンテナンス性を向上させた空気調和機を提供することができる。
【００３３】
本発明によれば、サブファンユニットの清掃性を向上した空気調和機を提供することができる。
【００３４】
本発明によれば、給気機能、排気機能を有するサブファンユニットを備えた空気調和機において、他の運転に付いても配慮した空気調和機を提供することができる。
【００３５】
本発明によれば、給気機能、排気機能を有するサブファンユニットを備えた空気調和機において、室外に通じる給排気ダクトの異物進入等を配慮した空気調和機を提供することができる。
【００３６】
本発明によれば、給気機能、排気機能を有するサブファンユニットを備えた空気調和機において、サブファン停止時を配慮した空気調和機を提供することができる。
【発明を実施するための最良の形態】
【００３７】
以下、本発明の空気調和機の各実施例について図を用いて説明する。
【００３８】
空気調和機の全体構成を、図１〜４を用いて説明する。図１は本発明の空気調和機の室内ユニットの外観図、図２は図１の室内ユニットの化粧カバーを取り外した状態の外観図、図３は図１のＡ−Ａ断面図、図４は図１のＢ−Ｂ断面図である。
【００３９】
室内ユニット１は、ユニット箱体２、化粧カバー３、フロントカバー４を備え構成されている。室内ユニット１には、温湿度が調和される室内空気を吸い込む空気吸込口５と、温湿度が調和された室内空気を吹き出す空気吹出口６とが上下に設けられている。空気吹出口６は、室内ユニット１の下部に横長に設けられ、サブ吹出口１３に対して主吹出口を構成するものである。空気吹出口６には、上下風向板７が回動可能に設置されている。この上下風向板７は、吹き出される空気の方向を変更するためのものであり、冷房時には水平方向に吹き出すように位置され、また、暖房時には下方に吹き出すように位置される。
【００４０】
ユニット箱体２には、エアフィルター８、主ファン９、熱交換器１０、露受け１１を備えている。エアフィルター８は熱交換器１０の吸込側を覆うように配置され、吸い込まれた室内空気中に含まれる塵埃を取り除くためのものである。主ファン９は横長の貫流ファンで構成され、室内空気を空気吸込口５から吸い込んで空気吹出口６から吹き出すように室内ユニット１内の中央に配置されている。熱交換器１０は主ファン９の吸込側に配置され、略逆Ｖ字状に形成されている。露受け１１は熱交換器１０の前後両側の下端部下方に配置され、冷房運転時や除湿運転時に熱交換器１０に発生する凝縮水を受けて室外に排出するために設けられている。これらによって、空調される室内空気を流す主通路が形成される。即ち、主ファン９を運転することで、室内空気は空気吸込口５から吸い込まれ、エアフィルター８を介し、熱交換器１０にて熱交換された後、空気吹出口６から室内に吹き出される。
【００４１】
サブファンユニット１５は、室内ユニット１内の一側部に配置される。具体的には、サブファンユニット１５は、主ファン９用の主ファンモータ１４と反対側部に組み込まれている。
【００４２】
サブファンユニット１５は、室内空気を吸い込むサブ吸込口１６を前部に有している。このサブ吸込口１６は、熱交換器１０と共用のエアフィルター８の後方に位置し、空気吸込口５から吸い込まれた室内空気がエアフィルター８を介して吸い込まれる。つまり、サブファンユニット１５のために室内ユニット１に専用の空気吸込口を設けずに、熱交換器１０へ室内空気を取り込むための空気吸込口５と共用させることで部品点数を少なくできる。
【００４３】
サブファンユニット１５には送風ダクト１２が連通され、その送風ダクト１２にはサブ吹出口１３が設けられている。具体的には、送風ダクト１２は空気吹出口６の上方で露受け１１の前方に位置し、室内ユニット１内の中央部まで横方向に延びている。その送風ダクト１２の先端部、換言すれば空気吹出口６の中央上部にサブ吹出口１３が設けられている。これにより、サブファンユニット１５から室内へ吹き出される空気は、室内吹出部１７から送風ダクト１２に送風され、その送風ダクト１２の先端に位置するサブ吹出口１３から室内に吹き出される。
【００４４】
サブファンユニット１５は、室内空気を室外に排気するとともに新鮮な室外空気を取り込む給排気口１８を後部に有している。そして、給排気口１８には室外ダクト２２（図１６）が接続され、この室外ダクト２２が室内ユニット１と室外ユニット（図示せず）を接続する冷媒配管と一緒に家屋の配管穴を介して室外に引き出され、室外ダクト２２の先端が外気に開放され、冷媒配管は室外ユニットに接続される。
【００４５】
尚、本実施例では、主ファンモータ１４を室内ユニット１の右側に、サブファンユニット１５を左側に配置したが、それらを逆に配置しても同様の効果を得ることが可能である。また、室内ユニット１を正面から見た左右対象性が崩れるが、主ファンモータ１４が配置される側にサブファンユニット１５を配置しても良い。
【００４６】
次に、サブファンユニット１５の構成及び機能を、図５〜７を用いて説明する。図５はサブファンユニットの外観図、図６は図５のサブファンユニットの右側板を省略した斜視図、図７は図５のサブファンユニットの左側板の一部を省略した斜視図である。
【００４７】
サブファンユニット１５は、その内部空間の上半部は送風機部とし、下半部は各種フィルターを配置し、それらを上下方向に配置することで幅寸法を狭くして、室内ユニット１の幅寸法を広げることなくサブファンユニット１５を室内ユニット１に収納できるように構成している。
【００４８】
サブファン１９は、シロッコファン、ターボファンなどの遠心ファンにより構成され、逆回転させても逆方向の風は発生しない。狭い風路であっても軸流ファンより高風流を得ることができる。
【００４９】
サブファンユニット１５の上半部に位置する送風機部は、サブファン１９、サブファン１９を駆動するサブファンモーター２０、サブファン１９の空気吸込側の風路を形成する吸込側ケーシング１５ａ、サブファン１９の空気吹出側の風路を形成するとともにサブファン１９及びサブファンモーター２０が収納された吹出側ケーシング１５ｂ、吸込側ケーシング１５ａと吹出側ケーシング１５ｂとを仕切るマウスリング２７、吸込側ケーシング１５ａの吸込側に位置するダンパーI２９、室内空気が吸い込まれるサブ吸込口１６、給排気口１８と連通される給気吸込口２４ａを備える。ダンパーI２９の動作によりサブ吸込口１６及び給気吸込口２４ａのどちらか一方が開き、もう一方が閉じる。
【００５０】
また、吹出側ケーシング１５ｂ内にサブファン１９及びサブファンモーター２０が収納され、吸込側ケーシング１５ａから吹出側ケーシング１５ｂへの空気流の移動はサブファン１９を介して行われる。サブファン１９は、室内ユニット１の長手方向である軸方向から空気を吸い込んで円周方向に吹き出す遠心形ファンからなる。吸い込んだ空気をファン軸方向に吹き出すプロペラファンと違い、遠心形ファンならば吸い込んだ空気を円周方向に吹き出すので、サブファンユニット１５のファン軸方向の幅寸法を小さくできる。サブファンモーター２０はサブファンユニット１５の幅寸法が小さくなるようにサブファン１９の凹部に組み込まれている。吸込側ケーシング１５ａに設けられたダンパーI２９を動作させることで、室内に開口されたサブ吸込口１６、もしくは給気吸込口２４ａを開放し、もう一方を遮断する。
【００５１】
サブファンユニット１５の下半部は、空気中に含まれる塵埃とともに人体に有害な物質を取り除く空気清浄機に用いられているような目の細かい給気用フィルター２１、空気中の塵埃を取り除くプレフィルター３３、サブ吹出口１３へ空気を誘導する室内吹出部１７、汚れた室内空気を室外に排気もしくは新鮮な室外空気を室内に取り込む給排気口１８、サブファン１９から吹き出された空気を室内へ導く給気循環風路２６、風路を切り換え空気の流れを制御するダンパーII３１を備えている。サブファンユニット１５の下半部は上半部と同様に、正面視して高さ方向に左右の空間に仕切られており、その左右の空間の空気流の移動は給気用フィルター２１もしくは排気風路２３を介して行われる。ダンパーII３１を動作することで空気流の風路を切り換え、排気風路２３を開放して給気循環風路２６を遮断しサブファン１９から吹き出された空気を給排気口１８に連通させる風路、もしくは排気風路２３を遮断し給気循環風路２６を開放し室内吹出部１７に連通させる風路を形成する。
【００５２】
給機用フィルター２１は、塵埃等を濾過する目が０．５〜１．０μｍの濾過部と臭気を吸着する吸着部（具体的には活性炭）から構成されている。フィルター面積を増して通風抵抗を低減するためシート状のフィルターを細く折り畳んで（ひだ）形成している。この給気フィルター２１は、ディーゼル車の排気ガスに含まれる微細粒子、タバコの煙、トルエン等の有機溶剤を濾過する性能を備えている。
【００５３】
さて、本実施例では、室外の空気を室内に取り込む際に、この給気用フィルター２１を介して室内に取り込むようにした。近年、都市部では、屋外の大気が汚染されている傾向にあり、様々な汚染物質が空気中に浮遊している。また、郊外であっても、例えば、近隣での外壁塗装作業などで気化した有機溶剤が漂っている、焚き火の煙が浮遊しているなど大気を汚染する要因がある。このような環境下で、外気を導入するとこれら汚染物質が室内に入り込み、居住者にとって不快なものとなってしまう。
【００５４】
そこで、本実施例に係る空気調和機では、給気運転が手動または自動で選択され、サブファンユニット１５（換気ユニット）を動作させて屋外の空気を導入する際に、給気用フィルター２１を通し、このフィルターの能力の範囲で除去できる物質を除去して室内に供給するようにした。
【００５５】
これにより、屋外の空気が上記原因物質により汚染されている場合、屋外の空気を清浄な空気にして屋内に取り込むことができるので、外気導入に伴う不快感を軽減することができる。
【００５６】
なお、後述するが、サブファンユニット２１の運転として外気を導入する給気運転の他、室内空気を室外に排出する排気運転、室内空気を吸って室内に戻す循環運転がある。しかし、排気運転及び循環運転は、給気フィルター２１を通さずに排気又は循環を行う。
【００５７】
また、この給気フィルター２１が０．３から３μｍの大きさのウイルスを捕捉できるような性能とすれば、外からのウイルスの侵入を防止することができる。
【００５８】
図６に示すように、サブファンユニット１５は、上から、回転軸が主ファン９の軸と略平行になるように配置されたサブファン１９、一方の面が給排気口１８に連通する通風路に面したプレフィルター３３、通風面がサブファン１９の空気吸い込み面と同一方向に面した、換言すると、ひだをなくした場合の通風面の垂線がサブファン１９の駆動軸と略平行となるように配置された給気用フィルター２１が収納されている。このように、特に、サブファン１９及び給気用フィルター２１を配置したことで、サブファンユニット１５の幅を薄くすることができ、室内ユニット１の幅を厚くしなくても、サブファンユニット１５を室内ユニット１に収納ができる。サブファン１９の通風面と給気用フィルター２１の通風面とが直角にならないようにした。望ましくは、両方の面の垂線が平行となるようにすると薄型化ができる。
【００５９】
また、プレフィルター３３は、主に給気時に屋外からの空気と一緒に入り込んでくる大き目の塵埃を取り除くための物で、給排気口１８の開口面と同一面積とすると直ぐに目詰まりしてしまう。そこで、本実施例では、図６に示すとおり、背面に開口した給排気口１８から正面にかけて給排気口１８に連通し、横壁面が吸込み側ケーシング１５ａおよびこれを塞ぐ蓋（図５に示した吸込み側ケーシング蓋１５ｃ）で形成され、上壁面が給排気口１８の上側端面から正面側まで延びた給排気風路天板２５ａで形成され、下面が給気フィルター２１の吸い込み側面に形成された空間と給排気風路天板２１ａ側の空間との間に装着されるプレフィルター３３で形成された空間である給排気風路２５を設けた。これにより、プレフィルター３３の面積を大きくすることができ、プレフィルター３３が目詰まりするまでの期間を延ばしている。さらに、プレフィルター３３の面積を大きくし、給気用フィルター２１の面積を広くするために、室外開口部である給排気口１８は正面から見て給排気フィルター２１（収納部）の上下方向投影面内に一部又は全部が掛かるように形成され、給排気風路２５の正面側端面はサブファン１９と給気用フィルター２１との間に配置されている。このように給気用フィルター２１の収納部の背面に給排気口１８を配置することで、後述するように清掃性がよくなる。すなわち、給排気風路２５は、正面側端面から背面側の給排気口１８に行くに従って下方に湾曲している。これにより、上記した効果の他、給排気口１８の開口面積を広くすることができるという効果を奏する。給排気風路の正面側端面は、裏面に細長いプレフィルター３３の一端が、表面に取っ手３３ａが取り付けられた給排気風路蓋３３ｂによりその開口が塞がれている。
【００６０】
給気用フィルター２１及びプレフィルター３３は、サブファンユニット１５に挿入する際、室内ユニット１の正面側から奥行方向に向かって挿入される。給気用フィルター２１は、立てて挿入され、プレフィルター３３は、横にして図示しないガイドに案内されて挿入され、嵌合部１８ａで係止される。それらフィルターが上下方向に並んで配設することでサブファン１９の軸方向寸法を狭くすることができる。また、給気用フィルター２１及びプレフィルター３３は、共にサブファンユニット１５の正面側に取っ手２１ａ及び３３ａが位置しており、必要に応じて室内ユニット１のフロントカバー４を開けて、取っ手２１ａ及び３３ａを持って抜取り及び装着することができる。プレフィルター３３は可撓性を持ち、サブファンユニット１５の正面から奥行方向へ、給排気口１８と給気用フィルター２１との間を遮断するように配され、給排気口１８に有する嵌合部１８ａに嵌合される。
【００６１】
尚、本実施例では、空気中の塵埃を除去するだけでなく人体に有害な成分も除去するために給気用フィルター２１を採用しているが、一般的なフィルターであって、プレフィルター３３より目の細かいフィルターを採用して空気中の塵埃だけを除去するようにしてもよい。
【００６２】
次に、サブファンユニット１５による給気運転、排気運転および循環運転について図８および図９を参照しながら説明する。図８は図２に示したサブファンユニットの空気の流れを模式的に表す図、図９は図２に示したサブファンユニットの運転の状態を表す図である。
【００６３】
サブファンユニット１５には給気運転、排気運転および循環運転３種類の運転モードと運転停止の状態がある。そして、それぞれの運転モードにおける風の流れ方向およびダンパーの開閉位置は図９に示す通りである。なお、運転停止の状態では当然であるが風は流れることなく、ダンパーI２９およびダンパーII３１はそれぞれ位置（ｂ）にあって、サブ吸込口１６及び室内吹出し部１７へ給排気口１８から室外空気が室内に侵入するのを防いでいる。また、特に説明しないが、それぞれの運転モードを切り換えは、手動の場合、リモコンスイッチの操作部で行なうか、室内ユニット１の操作部で行なうことになる。また、自動の場合、図示しない制御部からの指令によって行われる。サブファンユニット１５の運転は室内ユニット１の冷暖房運転と併用して運転することもできれば、サブファンユニット１５単独で運転することもできる。さらに、サブファンユニット１５にタイマーを設けて一定時間運転後、自動的に運転を停止させることも可能である。
【００６４】
図８に示すようにサブファンユニット１５に使用しているサブファン１９は、一定方向に回転して矢印方向に空気を流動させているので、吸込側ケーシング１５ａ、吹出側ケーシング１５ｂ、マウスリング２７を一方向の空気の流れのみを考慮した形状とすればよい。このため、サブファン１９の送風効率を向上させることができるとともに、サブファン１９の運転騒音を低減させることができる。
【００６５】
ダンパーI２９を動作することで、サブ吸込口１６から室内空気を吸い込む風路、あるいは給気風路２４を開放し給排気口１８から室外空気を吸い込む風路のどちらかに切り換え、また、ダンパーII３１を動作することで、サブ吹出口１７から空気を室内へ吹き出す風路、あるいは給排気口１８から室外へ空気を排気する風路のどちらかに切り換えて、サブファンユニット１５の運転モードを給気運転、排気運転および循環運転モードのいずれかに切り換えている。
【００６６】
即ち、給気運転では、ダンパーI２９が（ｂ）側にあってサブ吸込口１６を遮蔽し給気風路２４を開放するので、給気風路２４を通して室外空気が吸い込まれ、ダンパーII３１は（ａ）側にあるので給気循環風路２６が開放され排気風路２３を遮蔽するので、サブファン吹出部３４へ吹き出された室外空気は給気循環風路２６に送風され、室内吹出部１７を通って室内吹出部１７に接続された送風ダクト１２に送風されることになる。そして、本実施例の場合、サブファン１９によって吸い込まれる室外空気は給排気口１８から給排気風路２５を通って吸い込まれ、プレフィルター３３の表面で空気中に含まれている塵埃を取り除かれた後に、給気用フィルター２１の表面で空気中に含まれている塵埃とともに人体に有害な物質を取り除かれ、給気用フィルター２１の中を通過して給気風路２４に導かれ、サブファン１９に吸い込まれることになる。
【００６７】
また、排気運転では、ダンパーI２９が（ａ）側にあってサブ吸込口１６を開放し給気風路２４を遮蔽するので、サブ吸込口１６を通して室内空気が吸い込まれるが、ダンパーII３１は（ｂ）側にあるので、給気循環風路２６が遮蔽され排気風路２３が開放される。これによって、サブファン吹出部３４へ吹き出された室内空気は排気風路２３に流れ、プレフィルター３３を通って給排気口１８から室外に排気されることになる。
【００６８】
また、循環運転では、ダンパーI２９が（ａ）側にあってサブ吸込口１６を開放して給気風路２４を遮蔽するので、サブ吸込口１６を通して室内空気が吸い込まれ、ダンパーII３１が（ａ）側にあって給気循環風路２６を開放して排気風路２３を遮蔽するので、サブファン吹出部３４へ吹き出された室内空気は給気循環風路２６に送風され、室内吹出部１７を通って室内吹出部１７に接続した送風ダクト１２に送風されることになる。
【００６９】
また、運転停止時には、ダンパーI２９およびダンパーII３１はともに（ｂ）側にあって給気風路２４を通してあるいは排気風路２３を通して室外空気が室内に侵入してしまうことを防いでいる。そのため、運転停止時に室外空気が給排気風路を通して侵入するのを防ぐための逆風防止用弁を設ける必要がない。
【００７０】
次に、給気運転時の詳細について図１０を主に参照しながら説明する。
【００７１】
給気運転の場合は、ダンパーI２９がサブ吸込口１６を遮蔽し給気吸込口２４ａを開放するとともに、サブファン吹出部３４にあるダンパーII３１が給気循環風路２６を開放して排気風路２３を遮蔽するので、給気風路２４と給排気風路２５が給気用フィルター２１を介して連通することになる。したがって、この状態でサブファン１９が駆動すると、給排気口１８から給排気風路２５を通して室外空気を吸い込むことになり、吸い込まれた室外空気は、プレフィルター３３、給気用フィルター２１を通過して給気風路２４に流れる。このとき、プレフィルター３３を通過する際に空気中に含まれている塵埃を取り除かれ、さらに給気用フィルター２１を通過する際に空気中に含まれている塵埃とともに人体に有害な物質が取り除かれることになる。
【００７２】
そして、給気風路２４に吸い込まれてきた室外空気は給気吸込口２４ａから吸込側ケーシング１５ａに入り、マウスリング２７からサブファン１９に吸い込まれて吹出側ケーシング１５ｂに吹き出され、サブファン吹出部３４を通り給気循環風路２６に流れる。給気循環風路２６に流れた室外空気は、室内吹出部１７から送風ダクト１２に流入して、送風ダクト１２の内部を流れている間に空気の温度を室内ユニット１の運転状態の温度に調和され、サブ吹出口から温度の調和された新鮮な室外空気として室内に供給され、室内空気をリフレッシュすることになる。
【００７３】
次に、排気運転時の詳細について図１１を主に参照しながら説明する。
【００７４】
排気運転時の室内空気は、室内エアフィルター８（図３参照）で空気中の塵埃を取り除かれた後、サブ吸込口１６に吸い込まれることになる。そして、ダンパーI２９は循環運転時と同じ位置にあってサブ吸込口１６を開放し給気吸込口２４ａを遮断している。したがって、室内空気はサブ吸込口１６から吸い込まれ、吸込側ケーシング１５ａに入りサブファン１９に吸い込まれ、サブファン１９の周囲から吹き出され、吹出側ケーシング１５ｂで集められてサブファン吹出部３４に吹き出されることになる。
【００７５】
そして、排気運転の場合、サブファン吹出部３４にあるダンパーII３１は排気風路２３を開放し給気循環風路２６を遮断しているので、サブファン吹出部３４に吹き出された室内空気は排気風路２３を通って給排気風路２５へ流れ、プレフィルター３３を介して給排気口１８から室外に排出されることになる。ここで、プレフィルター３３の給排気口１８側には、給気運転の際に室外空気中から取り除いた塵埃が集積しているが、排気運転時の室内空気がプレフィルター３３を流れることにより、プレフィルター３３の給排気口８側の表面に集積している塵埃を効果的に除去するようにしている。したがって、サブファンユニット１５は給気運転と排気運転を繰り返すことにより、プレフィルター３３をセルフクリーニングすることになり、プレフィルター３３の清掃の回数を少なくすることができる。また、給気運転中、自動的に一定時間排気運転に切り換えることで、プレフィルター３３に流れる空気流の方向を切り換え、目詰まりを防止することができる。
【００７６】
また、排気運転のときには、排気する室内空気が給気用フィルター２１を通らないので排気運転時の通風抵抗が減少し、排気する室内空気の量を増やすことができ、効率の良い排気運転が可能となる。
【００７７】
以上、給気運転及び排気運転について説明したが、基本的に給気及び排気だけを行うのであれば、サブファンを正逆可能なファンにして、室外開口と室内開口をそれぞれ一つずつ設ければ、排気時に給気フィルター２１を通過させない方法は考える必要があるが、構造が簡単で済む。しかし、これに加えて室内開口をもう一つ設け、一方を室内空気の吸い込み専用、他方を吹出し専用とすることで、以下に説明する循環運転を行うことができるようになり、多彩な用途が広がってくる。
【００７８】
次に、循環運転時の詳細について図１２を主に参照しながら説明する。
【００７９】
循環運転時の室内空気はサブ吸込み口１６（図４参照）から吸い込まれることになる。図１２では省略してあるが、サブファンユニット１５（図４参照）の前部には、冷暖房運転の時に室内の空気中から塵埃を取り除く室内エアフィルター８（図３参照）を延出させて設けているので、室内エアフィルター８はサブ吸込み口１６が吸い込む室内空気からも空気中に含まれている塵埃を取り除くことになる。
【００８０】
循環運転時に、ダンパーI２９は、サブ吸込口１６を開放し給気吸込口２４ａを遮断しているので、室内空気はサブ吸込口１６から吸い込まれ、吸込側ケーシング１５ａに入り、マウスリング２７を通ってサブファン１９に吸い込まれてサブファン１９の周囲から吹き出され、吹出側ケーシング１５ｂで集められてサブファン吹出部３４に吹き出される。サブファン吹出部３４に設けられたダンパーII３１により排気風路２３を遮断し給気循環風路２６を開放している。これによって、サブファン吹出部３４に吹き出された室内空気は給気循環風路２６に流れ、室内吹出部１７から室内へ吹き出されることになる。
【００８１】
そして、図１２（ａ）には送風ダクト１２を明示していないが、送風ダクト１２は図１５に示すように送風口１２ａを室内吹出部１７に当接して接続されているので、室内吹出部１７から吹き出した空気はそのまま送風ダクト１２内に送風されることになる。送風ダクト１２は露受け１１（図３参照）の前面部に配置されていて、送風ダクト１２の先端部は室内ユニット１の空気吹出口６（図１参照）の概略中央上部にあって、送風ダクト１２に送風された室内空気をサブ吹出口１３（図２参照）から吹き出すようになっている。送風ダクト１２は露受け１１の前面部に設けられているので、露受け１１により冷房運転の場合は冷却されて冷やされており、暖房運転の場合は加熱されて温められている。送風ダクト１２内を流れる空気もそれぞれの運転状態によりそれぞれの状態に予備冷却あるいは予備加熱されてサブ吹出口１３から室内に吹き出すことになる。したがって、サブファンユニット１５を循環運転モードで運転した場合でも、冷房運転時あるいは暖房運転時の風量が増加し、それぞれの運転状態の温度に予備冷却あるいは予備加熱された空気をサブ吹出口１３から吹き出すので、それぞれの運転時の冷房能力あるいは暖房能力を向上させることができる。
【００８２】
以上説明したように、本発明のサブファンユニット１５のサブファン１９は一定方向に回転しているので、マウスリング２７の形状や、吸込側ケーシング１５ａ及び吹出側ケーシング１５ｂの形状にサブファン１９に適応した無理のない形状を採用することができ、したがって、送風効率の良い運転騒音の低いサブファンユニット１５を得ることができる。さらに、サブファン１９を駆動するサブファンモーター２０をサブファン１９に設けた凹部に配置し、そのサブファン１９の吹出側ケーシング１５ｂを囲んだ同一平面に（即ち、吹出側ケーシング１５ｂの外周面外方に）排気風路２３と給気風路２４と給気循環風路２６とを設けて幅寸法の薄い送風機構を構築している。さらに、給気用フィルター２１を送風機構の下部に配置してサブファンユニット１５の幅寸法を薄くし、室内ユニットの幅寸法を大きくすることなくサブファンユニット１５を室内ユニット１に収納できるようにしている。
【００８３】
次に、室内ユニット１の冷暖房運転とサブファンユニット１５の運転モードを組み合わせた場合の効果について図１３及び図１４を参照しながら説明する。図１３は図１の室内ユニットの冷房運転とサブファンユニットの循環運転あるいは給気運転を併用した場合の説明図、図１４は図１の室内ユニットの暖房運転とサブファンユニットの循環運転あるいは給気運転を併用した場合の説明図である。
【００８４】
図１３において、室内ユニット１を冷房運転し、サブファンユニット１５を循環運転あるいは給気運転した場合、サブ吹出口１３から吹き出す空気は送風ダクト１２を流れる間に、送風ダクト１２が露受け１１で冷却されて冷えているので送風ダクト１２で冷却されることになる。そして、送風ダクト１２で冷却された空気は、室内ユニット１の空気吹出口６の概略中央上部に設けたサブ吹出口１３から矢印Ａのようにほぼ水平に吹き出ることになる。一方、室内ユニット１の冷房運転では、冷却された冷たい空気を空気吹出口６から矢印Ｂのように吹き出して、部屋の遠方まで冷風を送風して部屋全体を冷房することになる。
【００８５】
図１３では冷房運転の冷風にサブファンユニット１５の循環運転あるいは給気運転の冷風が加わるので、冷風の風量が増して室内を速やかに冷房することができるようになる。あるいは冷房能力を同一にして、サブファンユニット１５が送風する風量の分、冷房運転の風量を減らすことにより冷房運転時の騒音を低くすることができる。また、サブ吹出口１３から空気をほぼ水平に吹き出すことにより、室内の上部空間に蓋をする状態になるので、空気吹出口６から吹き出した冷風を室内下部の生活空間で有効に活用することができるようになる。
【００８６】
また、図１４において、室内ユニット１を暖房運転し、サブファンユニット１５を循環運転あるいは給気運転した場合、サブ吹出口１３から吹き出す空気は送風ダクト１２の内部を流れる間に、送風ダクト１２が露受け１１で加熱されて温まっているので送風ダクト１２で温められることになる。そして、送風ダクト１２で温められた空気は、室内ユニット１の空気吹出口６の概略中央上部に設けたサブ吹出口１３から矢印Ａのようにほぼ水平に吹き出すことになる。
【００８７】
一方、室内ユニット１の暖房運転で加熱されて温かくなって空気吹出口６から吹き出されてくる温風は、比重が軽くなっているため絶えず部屋の上部へ向かって浮き上がろうとする傾向にある。そのため暖房運転の温風は空気吹出口６から矢印Ｂのように下方に向けて吹き出し、まず部屋の床面を温めて温風が部屋の上部へ向かって上昇するのを抑制しながら部屋の生活空間を暖房させることになる。サブ吹出口１３から吹き出す温風がない従来の場合には、空気吹出口６から吹き出した温風は温風の速度が遅くなるにしたがって、矢印Ｂのように上昇をし始め、部屋の遠方まで温かい温風を到達させることができず、軽くて温かい空気を部屋の上部空間に滞留させていた。
【００８８】
しかし、本実施例の室内ユニット１では、空気吹出口６の概略中央上部に設けたサブ吹出口１３からほぼ水平に矢印Ａのように温風を吹き出しているので、上昇しようとする矢印Ｂの温かい暖房運転の温風に蓋をするとともに、サブ吹出口１３から吹き出す温風で暖房運転の温風を部屋の遠方まで誘導することになる。したがって、室内ユニット１の暖房運転においてもサブファンユニット１５の循環運転あるいは給気運転を併用することにより、より効果的な暖房運転を行なうことができる。
【００８９】
先に説明したように送風ダクト１２は露受け１１の前面に設けられているので、室内ユニット１の熱交換器１０が冷房運転で冷却されている場合には、凝縮した冷たいドレン水を受けて露受け１１が冷却され、その前面に設けられている送風ダクト１２は露受け１１によって冷却されて冷やされ、その中を流れる空気を冷却することになる。したがって、冷房運転時に暑い室外の空気を室内に供給しても、送風ダクト１２で予備冷却されて室内に吹き出すので冷房効果を大きく損なうことはない。
【００９０】
また、室内ユニット１の熱交換器１０が暖房運転で加熱されている場合には、露受け１１は直接加熱されて温まり、その前面に設けられている送風ダクト１２は露受け１１によって温められ、その中を流れる空気を温めることになる。したがって、暖房運転時に冷たい室外の空気を室内に供給しても、送風ダクト１２で予備加熱されて室内に吹き出すので暖房効果を大きく損なうことがない。
【００９１】
なお、室内ユニット１の冷暖房運転をおこなわずに、サブファンユニット１５だけで循環運転、排気運転あるいは給気運転を単独におこなって、室内空気をゆるやかに循環させたり、室内の汚れた空気を排出したり、あるいは室外の新鮮な空気を取り込んで室内の空気をリフレッシュすることができる。
【００９２】
次に、サブ吹出口１３について図１５を参照しながら説明する。図１５は図１の室内ユニットのサブ吹出口の整流板有無を説明する断面図である。
【００９３】
送風ダクト１２のサブ吹出口１３には図１５（ａ）に示すように、風向整流板１２ｂが設けられている。風向整流板１２ｂを設けることによりサブ吹出口１３から吹き出す空気は、風向整流板１２ｂに沿って偏向されて流れることになり、室内ユニット１に対してほぼ直角方向に吹き出すことになる。風向整流板１２ｂがない場合には、送風ダクト１２内を流れてきた空気はそのまま慣性力により図１５（ｂ）のように斜め方向に吹き出すことになり、先に説明した冷房運転で冷風の流れを効果的に誘導することや、暖房運転で上昇する温風の流れを効果的に押さえることができなくなる。また、冷暖房運転時に空気吹出口６から吹き出す冷暖房された空気は、空気吹出口６の中央部での流速が速いので、サブ吹出口１３を空気吹出口６の概略中央上部に設けることにより、効果的に冷房運転で冷風の流れを効果的に誘導することや、暖房運転で上昇する温風の流れを効果的に押さえることができるようになる。
【００９４】
次に、室外ダクト２２について、図１６を参照しながら説明する。
【００９５】
給排気口１８には室外ダクト２２が接続され、その室外ダクト２２は室外に配されている。室外ダクト２２の先端部２２ａには、虫除けフィルター３０が設けられている。この虫除けフィルター３０の目の粗さは、プレフィルター３３よりも粗くなっている。これは、給気運転のときに目詰まりを防止するものである。また、先端部２２ａには、虫除けフィルター３０の周囲を覆うようにカバー３２が設けられており、そのカバー３２の先端口の形状を図に示したように不揃いなものとしている。例えば波線形状にすることで、新聞紙のような大きな塵がカバー３２に覆い被さっても波状に凹んだ隙間から吸い込む空気を確保することができる。
【００９６】
次に、サブファンユニット１５及び室外ダクト２２の内部を清掃する装置について、図１７を参照しながら説明する。
【００９７】
サブファンユニット１５及び室外ダクト２２の内部に塵が溜まった場合は、給気用フィルター２１およびプレフィルター３３を抜取り、給気用フィルター２１の代わりに清掃ユニット３４を挿入する。このとき、給気用フィルター２１の挿入口と、給排気口１８とがサブファンニット１５の奥行方向に向かって一直線上に配されていることからノズル３４ｂがサブファンユニット１５の奥まで、即ち室外ダクト２２付近まで届かせることができる。そして、掃除機装着部３４ａに家庭用の掃除機（図示せず）を装着し運転することで、サブファンユニット１５及び室外ダクト２２の内部に溜まった塵を吸引することができる。
【００９８】
以上、上記実施例によれば、主ファンとは別個に一定方向に回転するサブファンと、そのサブファンに適応した吸込口及びケーシングを有するとともに、室内空気を排出する排気風路と、室外空気を吸い込む給気風路と、排気と給気を共用する給排気風路と、給気と循環を共用する給気循環風路とを備え、サブファンの吸込み部に設けたダンパーで、吸い込む空気を室内空気あるいは室外空気に切り換え、ケーシングの吹出部に設けたダンパーで吹き出す空気を室内あるいは室外に切り換えることにより、循環運転、排気運転、給気運転ができるようにしたサブファンユニットを組み込んで、サブファンを一定方向に回転させてサブファンの吸込口とケーシングをサブファンに適応した形状にしたことにより、サブファンユニットの送風効率を向上させ、サブファンユニットの運転騒音を低くしたセパレート形空気調和機の室内ユニットを得ることができる。
【００９９】
また、給気運転のときには、吸い込んだ室外空気を給気用フィルターに通すが、排気運転のときには、排気する室内空気を給気用フィルターに通さないので、排気運転時の通風抵抗を減少させ、排気する室内空気の量を増やすことができる。
【０１００】
さらには、給気運転のときに空気を、プレフィルターを通過させて室外空気中の塵埃を取り除き、排気運転のときにもプレフィルターを通過させて排気する室内空気を吹き付けて、プレフィルターの表面に集積した塵埃を清掃させることにより、サブファンユニットにクリーニング機能を構築することができるとともに、給気用フィルター及びプレフィルターは室内ユニットのフロントカバーを開けて、正面から任意に抜取り、装着が可能であり、メンテナンス性を向上している。
【０１０１】
また、室内ユニットの露受けの前部に送風ダクトを設けて、サブファンユニットが吹き出す気流を室内ユニットの空気吹出口の概略中央上部に設けたサブ吹出口に誘導し、サブ吹出口から吹き出させるようにしたことにより、冷房運転で吹き出す冷風を部屋の遠方まで到達させるとともに、暖房運転で吹き出す温風の上昇を抑えることができる。
【０１０２】
なお、本実施例において、サブファンユニット１５の運転として３つの運転モードを設けたが、循環運転モードを設けなくてもよい。
【図面の簡単な説明】
【０１０３】
【図１】本発明の一実施例に係る空気調和機の室内ユニットの外観図。
【図２】図１の室内ユニットの化粧カバーを取り外した状態の外観図。
【図３】図１のＡ−Ａ断面図。
【図４】図１のＢ−Ｂ断面図。
【図５】サブファンユニットの外観図。
【図６】図５のサブファンユニットの右側板を省略した斜視図。
【図７】図５のサブファンユニットの左側板の一部を省略した斜視図。
【図８】図２に示したサブファンユニットの空気の流れを模式的に表す図。
【図９】図２に示したサブファンユニットの運転の状態を表す図。
【図１０】給気運転時のサブファンユニット内の空気の流れを示す図。
【図１１】排気運転時のサブファンユニット内の空気の流れを示す図。
【図１２】循環運転時のサブファンユニット内の空気の流れを示す図。
【図１３】図１の室内ユニットの冷房運転とサブファンユニットの循環運転あるいは給気運転を併用した場合の説明図。
【図１４】図１の室内ユニットの暖房運転とサブファンユニットの循環運転あるいは給気運転を併用した場合の説明図。
【図１５】送風ダクト１２の構造図。
【図１６】室外ダクト２２を説明する図。
【図１７】サブファンユニット１５を掃除する際の図。
【図１８】エアフィルター８を表す図。
【符号の説明】
【０１０４】
１… 室内ユニット、２… ユニット箱体、３… 化粧カバー、４… フロントカバー、５… 空気吸込口、６… 空気吹出口、７… 上下風向板、８… エアフィルター、８ａ… 枠部、８ｂ… フィルター部、９… 主ファン、１０… 熱交換器、１１… 露受け、１２… 送風ダクト、１３… サブ吹出口、１４… 主ファンモータ、１５… サブファンユニット、１５ａ… 吸込側ケーシング、１５ｂ… 吹出側ケーシング、１６… サブ吸込口、１７… 室内吹出部、１８… 給排気口、１９… サブファン、２０… サブファンモーター、２１… 給気用フィルター、２２… 室外ダクト、２２ａ… 室外ダクト先端部、２３… 排気風路、２４… 給気風路、２５… 給排気風路、２６… 給気循環風路、２７… マウスリング、２９… ダンパーI、３０… 虫除けフィルター、３１… ダンパーII、３２… 虫除けフィルター用カバー、３２ａ… カバー先端部、３３… プレフィルター、３４… 清掃装置、３４ａ… 掃除機装着部、３４ｂ… ノズル。
【図１】
2005164162.tif 000003
【図２】
2005164162.tif 000004
【図３】
2005164162.tif 000005
【図４】
2005164162.tif 000006
【図５】
2005164162.tif 000007
【図６】
2005164162.tif 000008
【図７】
2005164162.tif 000009
【図８】
2005164162.tif 000010
【図９】
2005164162.tif 000011
【図１０】
2005164162.tif 000012
【図１１】
2005164162.tif 000013
【図１２】
2005164162.tif 000014
【図１３】
2005164162.tif 000015
【図１４】
2005164162.tif 000016
【図１５】
2005164162.tif 000017
【図１６】
2005164162.tif 000018
【図１７】
2005164162.tif 000019
【図１８】
2005164162.tif 000020